(57)【要約】【課題】ユーザが特に意識しなくとも、画像パラメータの初期値を適切に設定することができる撮像装置を提供する。【解決手段】ＣＣＤ２３によって得られる撮影画像の色合いを表現する画像パラメータ以外の特定の設定情報を取得し、その特定の設定情報に基づいて画像パラメータの初期値を決定してパラメータ記憶部３２ａに記憶する。特定の設定情報とは、例えばワールドタイムの地域情報や言語情報であり、これらはカメラの購入時に最初に設定される情報である。地域情報を利用することで、本装置の使用地域に適した画像パラメータの初期値を設定できる。また、言語情報を利用することで、当該言語を使用する人種の色感覚に適した初期値を設定できる。【選択図】      図２
2006180069.tif 000002
【特許請求の範囲】
【請求項１】
被写体を撮影するための撮像手段と、
この撮像手段によって得られる撮影画像の色合いを表現する画像パラメータ以外の特定の設定情報を取得する取得手段と、
この取得手段によって得られた特定の設定情報に基づいて画像パラメータの初期値を決定する決定手段と、
この決定手段によって決定された画像パラメータの初期値を記憶する記憶手段と
を具備したことを特徴とする撮像装置。
【請求項２】
本装置を使用する地域を示す地域情報を設定する地域設定手段を備え、
前記取得手段は、前記地域設定手段によって設定された地域情報を前記特定の設定情報として取得し、
前記決定手段は、前記地域情報に基づいて本装置の使用地域に適した画像パラメータの初期値を決定することを特徴とする請求項１記載の撮像装置。
【請求項３】
本装置のメッセージ表示に使用する言語を示す言語情報を設定する言語設定手段を備え、
前記取得手段は、前記言語設定手段によって設定された言語情報を前記特定の設定情報として取得し、
前記決定手段は、前記言語情報に基づいて当該言語を使用する人種の色感覚に適した画像パラメータの初期値を決定することを特徴とする請求項１記載の撮像装置。
【請求項４】
本装置を使用する地域を示す地域情報を設定する地域設定手段と、
本装置のメッセージ表示に使用する言語を示す言語情報を設定する言語設定手段とを備え、
前記取得手段は、前記地域設定手段によって設定された地域情報および前記言語設定手段によって設定された言語情報の少なくとも一方の情報を前記特定の設定情報として取得し、
前記決定手段は、前記地域情報が取得された場合には本装置の使用地域に適した画像パラメータの初期値、前記言語情報が取得された場合には当該言語を使用する人種に適した画像パラメータの初期値、前記地域情報および前記言語情報が取得された場合にはその両方を満足するような画像パラメータの初期値を決定することを特徴とする請求項１記載の撮像装置。
【請求項５】
前記画像パラメータには、少なくとも撮影画像の彩度を決定するためのパラメータが含まれることを特徴とする請求項１乃至４のいずれか１つに記載の撮像装置。
【請求項６】
被写体を撮影するための撮像手段を備えた撮像装置に用いられる画像パラメータ設定方法において、
前記撮像手段によって得られる撮影画像の色合いを表現する画像パラメータ以外の特定の設定情報を取得する取得ステップと、
この取得ステップによって得られた特定の設定情報に基づいて画像パラメータの初期値を決定する決定ステップと、
この決定ステップによって決定された画像パラメータの初期値を記憶する記憶ステップと
を備えたことを特徴とする画像パラメータ設定方法。
【請求項７】
被写体を撮影するための撮像手段を備えた撮像装置に用いられるコンピュータによって実行されるプログラムであって、
前記コンピュータに、
前記撮像手段によって得られる撮影画像の色合いを表現する画像パラメータ以外の特定の設定情報を取得する取得機能と、
この取得機能によって得られた特定の設定情報に基づいて画像パラメータの初期値を決定する決定機能と、
この決定機能によって決定された画像パラメータの初期値を記憶する記憶機能と
を実現させることを特徴とするプログラム。
【発明の詳細な説明】
【技術分野】
【０００１】
本発明は、例えはデジタルカメラ等の撮像装置に係り、特に彩度等の画像パラメータの初期値を設定する場合に用いて好適な撮像装置、画像パラメータ設定方法及びプログラムに関する。
【背景技術】
【０００２】
デジタルカメラでは、彩度やシャープネス、コントラスト、ホワイトバランスといった各種パラメータを持ち、これらのパラメータの値に従って所定の画像処理を行うことにより、撮影画像の色合いを表現している。なお、これらのパラメータのことを「画像パラメータ」と呼ぶ。
【０００３】
通常、デジタルカメラでは、この画像パラメータをユーザが任意に変更することができる。例えば特許文献１では、撮影時に各撮影シーンに対応した見本画像を表示し、その中でユーザが選択した見本画像に基づいて当該撮影シーンに最適なパラメータ値を設定することが開示されている。
【特許文献１】特開２００４−４８７８６号公報
【発明の開示】
【発明が解決しようとする課題】
【０００４】
しかしながら、前記特許文献１では、撮影時にそのときの撮影シーンに適したパラメータ値をユーザの指示に従って設定するものであり、その設定基準となる画像パラメータの初期値そのものを設定するものではない。
【０００５】
一般に、色感覚は地域によって微妙に異なる。これは、例えば日本と欧米を比べると太陽光の入射角が違ってくるため、その太陽光に含まれる波長成分の影響により同じ画像の色でも微妙に違った色に感じてしまうことに起因する。また、人種的（特に瞳の色）にも色感覚が異なってくる。例えば、明るいブルーの眼を持った欧米人（フランス人、イタリヤ人等）は青色の識別感度が他の地域の人とは違うため、例えば彩度を低めに設定し、青を弱く、赤を強くする必要がある。
【０００６】
このように、カメラの使用地域や人種的な色感覚の違いがあり、このような違いを考慮して画像パラメータの初期値を適切に設定することは、ユーザの判断で行うことは困難である。
【０００７】
本発明は前記のような点に鑑みなされたもので、ユーザが特に意識しなくとも、画像パラメータの初期値を適切に設定することができる撮像装置、画像パラメータ設定方法及びプログラムを提供することを目的とする。
【課題を解決するための手段】
【０００８】
本発明の請求項１に係る撮像装置は、被写体を撮影するための撮像手段と、この撮像手段によって得られる撮影画像の色合いを表現する画像パラメータ以外の特定の設定情報を取得する取得手段と、この取得手段によって得られた特定の設定情報に基づいて画像パラメータの初期値を決定する決定手段と、この決定手段によって決定された画像パラメータの初期値を記憶する記憶手段とを具備して構成される。
【０００９】
このような構成によれば、画像パラメータ以外の特定の設定情報が取得され、その特定の設定情報に基づいて画像パラメータの初期値が適切な値に自動設定される。
【００１０】
また、本発明の請求項２は、前記請求項１記載の撮像装置において、本装置を使用する地域を示す地域情報を設定する地域設定手段を備え、前記取得手段は、前記地域設定手段によって設定された地域情報を前記特定の設定情報として取得し、前記決定手段は、前記地域情報に基づいて本装置の使用地域に適した画像パラメータの初期値を決定することを特徴とする。
【００１１】
このような構成によれば、地域情報が設定されたときに、その地域情報を利用して本装置の使用地域に適した画像パラメータの初期値が自動設定される。
【００１２】
また、本発明の請求項３は、前記請求項１記載の撮像装置において、本装置のメッセージ表示に使用する言語を示す言語情報を設定する言語設定手段を備え、前記取得手段は、前記言語設定手段によって設定された言語情報を前記特定の設定情報として取得し、前記決定手段は、前記言語情報に基づいて当該言語を使用する人種の色感覚に適した画像パラメータの初期値を決定することを特徴とする。
【００１３】
このような構成によれば、言語情報が設定されたときに、その言語情報を利用して当該言語を使用する人種の色感覚に適した画像パラメータの初期値が自動設定される。
【００１４】
また、本発明の請求項４は、前記請求項１記載の撮像装置において、本装置を使用する地域を示す地域情報を設定する地域設定手段と、本装置のメッセージ表示に使用する言語を示す言語情報を設定する言語設定手段とを備え、前記取得手段は、前記地域設定手段によって設定された地域情報および前記言語設定手段によって設定された言語情報の少なくとも一方の情報を前記特定の設定情報として取得し、前記決定手段は、前記地域情報が取得された場合には本装置の使用地域に適した画像パラメータの初期値、前記言語情報が取得された場合には当該言語を使用する人種に適した画像パラメータの初期値、前記地域情報および前記言語情報が取得された場合にはその両方を満足するような画像パラメータの初期値を決定することを特徴とする。
【００１５】
このような構成によれば、地域情報および言語情報の少なくとも一方が設定されたときに、そのときの設定情報を利用して画像パラメータの初期値が自動設定される。この場合、地域情報および言語情報の両方を用いることで、より適切な画像パラメータの初期値を設定することができる。
【００１６】
また、本発明の請求項５は、前記請求項１乃至４のいずれか１つに記載の撮像装置において、前記画像パラメータには、少なくとも撮影画像の彩度を決定するためのパラメータが含まれることを特徴とする。
【００１７】
このような構成によれば、画像パラメータの１つとして彩度を適切な値に初期設定することができる。
【００１８】
本発明の請求項６に係る画像パラメータ設定方法は、被写体を撮影するための撮像手段を備えた撮像装置に用いられる画像パラメータ設定方法において、前記撮像手段によって得られる撮影画像の色合いを表現する画像パラメータ以外の特定の設定情報を取得する取得ステップと、この取得ステップによって得られた特定の設定情報に基づいて画像パラメータの初期値を決定する決定ステップと、この決定ステップによって決定された画像パラメータの初期値を記憶する記憶ステップとを備えたことを特徴とする。
【００１９】
このような画像パラメータ設定方法によれば、前記各ステップに従った処理を実行することにより、前記請求項１記載の発明と同様の作用効果が奏せられる。
【００２０】
本発明に係る請求項７に係るプログラムは、被写体を撮影するための撮像手段を備えた撮像装置に用いられるコンピュータによって実行されるプログラムであって、前記コンピュータに、前記撮像手段によって得られる撮影画像の色合いを表現する画像パラメータ以外の特定の設定情報を取得する取得機能と、この取得機能によって得られた特定の設定情報に基づいて画像パラメータの初期値を決定する決定機能と、この決定機能によって決定された画像パラメータの初期値を記憶する記憶機能とを実現させることを特徴とする。
【００２１】
したがって、コンピュータが前記各機能を実現するためのプログラムを実行することにより、前記請求項１記載の発明と同様の作用効果が奏せられる。
【発明の効果】
【００２２】
本発明によれば、ユーザが特に意識しなくとも、例えばカメラの使用環境や人種的な色感覚の違いを考慮した画像パラメータの初期値を適切に設定することができ、その画像パラメータを用いて、常に良好な撮影画像を得ることができるようになる。
【発明を実施するための最良の形態】
【００２３】
以下、図面を参照して本発明の実施形態を説明する。
【００２４】
（第１の実施形態）
図１は本発明の第１の実施形態に係る撮像装置としてデジタルカメラを例にした場合の外観構成を示す図であり、図１（ａ）は主に前面の構成、同図（ｂ）は主に背面の構成を示す斜視図である。
【００２５】
このデジタルカメラ１は、略矩形の薄板状ボディ２の前面に、撮影レンズ３、セルフタイマランプ４、光学ファインダ窓５、ストロボ発光部６、マイクロホン部７などを有し、上面の（ユーザにとって）右端側には電源キー８及びシャッタキー９などが設けられている。
【００２６】
電源キー８は、電源のオン／オフ毎に操作するキーであり、シャッタキー９は、撮影時に撮影タイミングを指示するキーである。
【００２７】
また、デジタルカメラ１の背面には、撮影モード（Ｒ）キー１０、再生モード（Ｐ）キー１１、光学ファインダ１２、スピーカ部１３、マクロキー１４、ストロボキー１５、メニュー（ＭＥＮＵ）キー１６、リングキー１７、セット（ＳＥＴ）キー１８、表示部１９などが設けられている。
【００２８】
撮影モードキー１０は、電源オフの状態から操作することで自動的に電源オンとして静止画の撮影モードに移行する一方で、電源オンの状態から繰返し操作することで、静止画モード、動画モードを循環的に設定する。静止画モードは、静止画を撮影するためのモードである。また、動画モードは、動画を撮影するためのモードであり、特に本実施形態では音声付き動画の撮影が可能であるとする。
【００２９】
前記シャッタキー９は、これらの撮影モードに共通に使用される。すなわち、静止画モードでは、シャッタキー９が押下されたときのタイミングで静止画の撮影が行われる。動画モードでは、シャッタキー９が押下されたときのタイミングで動画の撮影が開始され、シャッタキー９が再度押下されたときにその動画の撮影が終了する。
【００３０】
再生モードキー１１は、電源オフの状態から操作することで自動的に電源オンとして再生モードに移行する。光学ファインダ１２は、撮影時にユーザが撮影対象となる被写体を光学的に確認するためのものである。マクロキー１４は、静止画の撮影モードで通常撮影とマクロ撮影とを切換える際に操作する。ストロボキー１５は、ストロボ発光部６の発光モードを切換える際に操作する。メニューキー１６は、各種メニュー項目等を選択する際に操作する。リングキー１７は、上下左右各方向への項目選択用のキーが一体に形成されたものであり、このリングキー１７の中央に位置するセットキー１８は、その時点で選択されている項目を設定する際に操作する。
【００３１】
表示部１９は、バックライト付きのカラー液晶パネルで構成されるもので、撮影モード時には電子ファインダとしてスルー画像のモニタ表示を行う一方で、再生モード時には選択した画像等を再生表示する。
【００３２】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられている。
【００３３】
図２はデジタルカメラ１の電子回路構成を示すブロック図である。
【００３４】
このデジタルカメラ１には、前記撮影レンズ３を構成する図示せぬフォーカスレンズおよびズームレンズを含むレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ３を通して入力される被写体の各部位からの光を受光し、その光の強度に応じた電気信号を出力する。
【００３５】
基本モードである記録モード時において、ＣＣＤ２３がタイミング発生器（ＴＧ）２４、ドライバ２５によって走査駆動され、一定周期毎に結像した光像に対応する光電変換出力を１画面分出力する。このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。
【００３６】
そして、カラープロセス回路２８において、画素補間処理及びγ補正処理を含む画像処理が行われて、デジタル値の輝度信号Ｙ及び色差信号Ｕ，Ｖ（Ｃｂ，Ｃｒ）が生成され、ＤＭＡ（Ｄｉｒｅｃｔ  Ｍｅｍｏｒｙ  Ａｃｃｅｓｓ）コントローラ２９に出力される。
【００３７】
ＤＭＡコントローラ２９は、カラープロセス回路２８の出力する輝度信号Ｙ及び色差信号Ｕ，Ｖを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００３８】
制御部３２は、デジタルカメラ１全体の制御を行うものであり、ＣＰＵと、このＣＰＵで実行される動作プログラムを記憶したＲＯＭ、及びワークメモリとして使用されるＲＡＭなどを含むマイクロコンピュータにより構成される。この制御部３２には、パラメータ記憶部３２ａ、地域記憶部３２ｂ、言語記憶部３２ｃが設けられているが、これらの記憶部３２ａ〜３２ｃについては後に説明する。
【００３９】
制御部３２は、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００４０】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１９に出力する。
【００４１】
この表示部１９は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００４２】
このように、表示部１９にその時点での画像がモニタ画像としてリアルタイムに表示されている状態で、例えば静止画撮影を行いたいタイミングでシャッタキー９を押下操作すると、トリガ信号が発生する。
【００４３】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４４】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、ＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書き込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４５】
そして得た符号データを該ＪＰＥＧ回路３７から読み出して１画像のデータファイルとして記録用のメモリ３８に書き込む。このメモリ３８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００４６】
制御部３２には、さらに音声処理部３９、ＵＳＢインタフェース（Ｉ／Ｆ）４０、ストロボ駆動部４１が接続される。
【００４７】
音声処理部３９は、ＰＣＭ音源等の音源回路を備え、音声の録音時には前記マイクロホン部（ＭＩＣ）７より入力された音声信号をデジタル化し、所定のデータファイル形式、例えばＭＰ３（ＭＰＥＧ−１  ａｕｄｉｏ  ｌａｙｅｒ  ３）規格に従ってデータ圧縮して音声データファイルを作成してメモリ３８へ送出する一方、音声の再生時にはメモリ３８から読み出された音声データファイルの圧縮を解いてアナログ化し、上述したデジタルカメラ１の背面側に設けられるスピーカ部（ＳＰ）１３を通じて出力する。
【００４８】
ＵＳＢインタフェース４０は、ＵＳＢコネクタを介して有線接続されるパーソナルコンピュータ等の他の情報端末装置との間で画像データ、その他の送受を行う場合の通信制御を行う。ストロボ駆動部４１は、撮影時に図示せぬストロボ用の大容量コンデンサを充電した上で、制御部３２からの制御に基づいてストロボ発光部６を閃光駆動する。
【００４９】
なお、前記キー入力部３６は、上述したシャッタキー９の他に、電源キー８、撮影モードキー１０、再生モードキー１１、マクロキー１４、ストロボキー１５、メニューキー１６、リングキー１７、セットキー１８などから構成され、それらのキー操作に伴う信号は直接制御部３２へ送出される。
【００５０】
また、静止画像ではなく動画像の撮影時においては、シャッタキー９が押下操作されたときに、上述したＪＰＥＧ回路３７によりｍｏｔｉｏｎ−ＪＰＥＧ（Ｊｏｉｎｔ  Ｐｈｏｔｏｇｒａｐｈｉｃ  Ｅｘｐｅｒｔｓ  Ｇｒｏｕｐ）などの手法により撮影動画をデータ圧縮してメモリ３８へ記録する。再度シャッタキー９が操作されると、動画データの記録を終了する。
【００５１】
一方、基本モードである再生モード時には、制御部３２がメモリ３８に記録されている画像データを選択的に読み出し、ＪＰＥＧ回路３７で記録モード時にデータ圧縮した手順と全く逆の手順で、圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、表示部１９で再生出力させる。
【００５２】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００５３】
次に、このデジタルカメラ１が持つ画像パラメータを初期設定する場合の動作について説明する。
【００５４】
なお、ここで言う「画像パラメータ」とは、撮影画像の色合いを表現するための情報であり、具体的には「彩度」、「シャープネス」、「コントラスト」、「ホワイトバランス」などを含む。通常、これらの画像パラメータは、製造側で仕向地に合わせて初期設定されている。しかし、その初期設定値が必ずしもカメラの使用環境に適したものとは限らない。そこで、第１の実施形態では、ユーザがカメラ購入時などに行うワールドタイム（現地時刻）の設定操作に着目し、そのワールドタイムの地域情報を利用して画像パラメーの初期値を設定する。
【００５５】
図３は第１の実施形態におけるデジタルカメラ１の画像パラメータの初期設定処理を示すフローチャートである。なお、このフローチャートで示される処理は、マイクロプロセッサである制御部３２がＲＯＭ等の記録媒体に記録されたプログラムを読み込むことで実行される。他の実施形態の処理についても同様であり、制御部３２がそれぞれの実施形態に対応した処理を実現するためのプログラムを読み込むことで実行される。
【００５６】
今、ユーザがカメラ購入時などにワールドタイムを設定する場合を想定する。このワールドタイムの設定は、例えばデジタルカメラ１に設けられたメニューキー１６の操作により表示される図示せぬメニュー画面上で「ワールドタイム」の設定項目を選択するなどして行う。
【００５７】
ユーザがワールドタイムの設定指示を行うと（ステップＡ１１）、図４に示すようなタイムゾーン選択画面５１が表示部１９に表示される（ステップＡ１２）。このタイムゾーン選択画面５１において、例えばリングキー１７の操作により、ユーザの地域（カメラの使用地域）を含んだタイムゾーンを選択すると（ステップＡ１３のＹｅｓ）、続いて図５に示すような地域選択画面５２が表示される（ステップＡ１４）。この地域選択画面５２では、前記選択されたタイムゾーンに属する各地域の代表都市の一覧が自宅に設定されている都市のグリニッジ標準時に基づく時差と、代表都市のグリニッジ標準時に基づく時差との時間的な差と共に表示される。
【００５８】
ユーザが前記地域選択画面５２上の所望の地域（都市）を選択すると（ステップＡ１５のＹｅｓ）、制御部３２は、その選択された地域情報を地域記憶部３２ｂに記憶した後、当該地域情報に基づいてワールドタイムを設定する（ステップＡ１６）。詳しくは、デジタルカメラ１に備えられている時計の現在日時を前記選択された地域情報の時差に合わせて調整するといった処理を行う。
【００５９】
ここで、このようなワールドタイムの設定処理に伴い、制御部３２は、そのときの設定情報である地域情報を地域記憶部３２ｂから取得する（ステップＡ１７）。そして、制御部３２は、例えば予め各地域毎に画像パラメータの初期値が定義付けられたテーブルを参照するなどして、当該地域情報に対応した画像パラメータの初期値を決定し（ステップＡ１８）、その初期値を以後の撮影処理で使用するべくパラメータ記憶部３２ａに記憶する（ステップＡ１９）。
【００６０】
具体的に説明すると、例えばデジタルカメラ１の使用地域が欧州地区であれば、その欧州地区での太陽光の入射角度などを考慮して、画像パラメータの１つである「彩度」の初期値を他の地域に比べて約５％低く設定する。これにより、例えば撮影時に彩度を「＋２」，「＋１」，「０（初期値に対応）」，「−１」，「−２」の５段階にユーザが任意に調整可能とした場合に、前記パラメータ記憶部３２ａに記憶された初期値を基準にして、それぞれ約５％低い値が設定されることになる。
【００６１】
また、「彩度」の他に「シャープネス」、「コントラスト」、「ホワイトバランス」などについても前記同様に使用地域に合わせて、その初期値が自動設定される。なお、具体的なパラメータの数値については、ノウハウの関係で開示せずものとする。
【００６２】
このように、カメラ購入時などにユーザが最初に行うワールドタイム（現地時刻）の設定操作を利用して、そのときに得られる地域情報に基づいて画像パラメータの初期値を設定することで、ユーザが特に意識しなくても、デジタルカメラ１の使用地域を考慮した画像パラメータを用いて、常に良好な撮影画像を得ることができるようになる。
【００６３】
（第２の実施形態）
次に、本発明の第２の実施形態について説明する。
【００６４】
前記第１の実施形態では、デジタルカメラ１の使用地域を考慮して画像パラメータの初期値を設定したが、第２の実施形態では、このデジタルカメラ１を使用する人種の色感覚を考慮して画像パラメータの初期値を設定することを特徴とする。この場合、人種の判断はユーザが使用する言語によって行う。
【００６５】
以下に、第２の実施形態としての処理動作について説明する。なお、デジタルカメラ１の外観構成や回路構成は前記第１の実施形態と同様のため、ここでは画像パラメータを初期設定する場合の処理的な違いについて説明する。
【００６６】
図６は第２の実施形態におけるデジタルカメラ１の画像パラメータの初期設定処理を示すフローチャートである。
【００６７】
今、ユーザがカメラ購入時などにユーザの使用言語を設定する場合を想定する。この言語の設定は、例えばデジタルカメラ１に設けられたメニューキー１６の操作により表示される図示せぬメニュー画面上で「言語」の設定項目を選択するなどして行う。
【００６８】
ユーザが言語の設定指示を行うと（ステップＢ１１）、図７に示すような言語選択画面５３が表示部１９に表示される（ステップＢ１２）。このデジタルカメラ１では、「日本語」の他に、「Ｅｎｇｌｉｓｈ（英語）」，「Ｆｒａｎｃａｉｓ（フランス語）」，「Ｄｅｕｔｓｃｈ（ドイツ語）」，「Ｅｓｐａｎｏｌ（スペイン語）」，「Ｉｔａｌｉａｎｏ（イタリア語）」，「中国語」…などの多数の言語が用意されており、これらの言語の中でユーザの使用する言語を選択することができる。
【００６９】
前記言語選択画面５３において、例えばリングキー１７の操作により、ユーザが使用する言語を選択すると（ステップＢ１３のＹｅｓ）、制御部３２は、その選択された言語情報を言語記憶部３２ｃに記憶した後、当該言語情報に基づいてメッセージ表示を行うように設定する（ステップＢ１４）。詳しくは、メッセージ表示に使用する辞書を前記選択された言語情報に対応した辞書に切り替え、以後、その切り替えた辞書を用いて各種メッセージの表示処理を行う。
【００７０】
ここで、このような言語の設定処理に伴い、制御部３２は、そのときの設定情報である言語情報を言語記憶部３２ｃから取得する（ステップＢ１５）。そして、制御部３２は、例えば予め各言語毎に画像パラメータの初期値が定義付けられたテーブルを参照するなどして、当該言語情報に対応した画像パラメータの初期値を決定し（ステップＢ１６）、その初期値を以後の撮影処理で使用するべくパラメータ記憶部３２ａに記憶する（ステップＢ１７）。
【００７１】
例えば、「日本語」や「中国語」…などの言語が選択された場合には、黒い瞳を持つユーザがデジタルカメラ１を使用するものと判断し、黒い瞳を通して見た場合の色感覚に合わせて画像パラメータの１つである「彩度」の初期値を設定する。一方、「Ｅｎｇｌｉｓｈ（英語）」や「Ｆｒａｎｃａｉｓ（フランス語）」，「Ｄｅｕｔｓｃｈ（ドイツ語）」…などの言語が選択された場合には、青い瞳を持つユーザがデジタルカメラ１を使用するものと判断し、青い瞳を通して見た場合の色感覚に合わせて画像パラメータの１つである「彩度」の初期値を設定する。
【００７２】
「シャープネス」、「コントラスト」、「ホワイトバランス」などについても前記同様であり、使用言語に合わせて、その初期値が自動設定される。具体的なパラメータの数値については、ノウハウの関係で開示せずものとする。
【００７３】
このように、カメラ購入時などにユーザが最初に行う言語の設定操作を利用して、そのときに得られる言語情報に基づいて画像パラメータの初期値を設定することで、ユーザが特に意識しなくとも、このデジタルカメラ１を使用するユーザの人種的な色感覚の違いを考慮した画像パラメータを用いて、常に良好な撮影画像を得ることができるようになる。
【００７４】
（第３の実施形態）
第３の実施形態では、使用地域および言語に基づいて画像パラメータの初期値を設定することを特徴とする。
【００７５】
以下に、第３の実施形態としての処理動作について説明する。なお、デジタルカメラ１の外観構成や回路構成は前記第１の実施形態と同様のため、ここでは画像パラメータを初期設定する場合の処理的な違いについて説明する。
【００７６】
図８は第３の実施形態におけるデジタルカメラ１の画像パラメータの初期設定処理を示すフローチャートである。
【００７７】
今、ユーザがカメラ購入時などにワールドタイムや言語を設定する場合を想定する。これらの設定は、上述したようにメニューキー１６の操作により表示される図示せぬメニュー画面上で該当する設定項目を適宜選択するなどして行う。
【００７８】
ワールドタイムの設定指示があると（ステップＣ１１のＹｅｓ）、図４に示すようなタイムゾーン選択画面５１や図５に示すような地域選択画面５２が順に表示されてワールドタイム（現在時刻）が設定される（ステップＣ１２）。なお、このワールドタイムの設定処理については、図３のステップＡ１１〜Ａ１７と同様であるため、ここでは詳しい説明を省略する。この場合、前記地域選択画面５２上で選択されたワールドタイムの地域情報は地域記憶部３２ｂに記憶される。
【００７９】
また、言語の設定指示があると（ステップＣ１３のＹｅｓ）、図７に示すような言語選択画面５３が表示されてメッセージ表示に使用する言語が設定される（ステップＣ１４）。なお、この言語の設定処理については、図６のステップＢ１１〜Ｂ１４と同様であるため、ここでは詳しい説明を省略する。この場合、前記言語選択画面５３上で選択された言語情報は言語記憶部３２ｃに記憶される。
【００８０】
ここで、ワールドタイムおよび言語のどちらか一方の設定処理が行われたとき、制御部３２は、そのときの設定情報を取得することにより（ステップＣ１５）、その設定情報を利用して画像パラメータの初期値を決定すると共に、その初期値を以後の撮影処理で使用するべくパラメータ記憶部３２ａに記憶する（ステップＣ１６）。
【００８１】
すなわち、ワールドタイムの設定処理が行われた場合には、前記第１の実施形態で説明したように、制御部３２は、そのときの設定情報である地域情報を地域記憶部３２ｂから取得する。そして、例えば予め各地域毎に画像パラメータの初期値が定義付けられたテーブルを参照するなどして、当該地域情報に対応した画像パラメータの初期値を決定し、その初期値をパラメータ記憶部３２ａに記憶する。
【００８２】
一方、言語の設定処理が行われた場合には、前記第２の実施形態で説明したように、制御部３２は、そのときの設定情報である言語情報を言語記憶部３２ｃから取得する。そして、例えば予め各言語毎に画像パラメータの初期値が定義付けられたテーブルを参照するなどして、当該言語情報に対応した画像パラメータの初期値を決定し、その初期値をパラメータ記憶部３２ａに記憶する。
【００８３】
また、ワールドタイムと言語の両方の設定処理が行われた場合には、制御部３２は、地域記憶部３２ｂから地域情報を取得すると共に言語記憶部３２ｃから言語情報を取得することにより、例えば、これらの情報を検索条件としたテーブルを参照するなどして画像パラメータの初期値を決定し、その初期値をパラメータ記憶部３２ａに記憶する。
【００８４】
このように、地域情報および言語情報の少なくとも一方の情報を利用して画像パラメータの初期値を決定する。この場合、地域情報および言語情報の両方の情報を利用すれば、使用環境（地域）と人種的な色感覚（瞳の色）の違いを考慮したより適切な初期値を設定することができ、さらに良好な撮影画像を得ることができるようになる。
【００８５】
なお、図８に示すフローチャートでは、例えばカメラ購入時などに、ワールドタイムと言語の設定有無を同時期に判断し、そのときに得られた設定情報に基づいて画像パラメータの初期値を設定するようにしたが、カメラ購入時に限らず、どちらか一方の設定操作があったときに、そのときに得られた設定情報を用いて画像パラメータの初期値を設定し、以後、他方の設定操作があったときに、そのときに得られた設定情報を加味して画像パラメータの初期値を設定し直すようにしても良い。
【００８６】
すなわち、例えばカメラ購入時にワールドタイムだけが設定されたとすると、まず、そのときに得られたワールドタイムの地域情報に基づいて画像パラメータの初期値を決定して、その値をパラメータ記憶部３２ａに設定しておく。その後、メッセージ表示に使用する言語が設定された場合には、そのときに得られた言語情報を加味して画像パラメータの初期値を設定し直して、その初期値を最新情報としてパラメータ記憶部３２ａに記憶する。
【００８７】
また、前記各実施形態では、デジタルカメラ１を想定して説明したが、本発明はこれに限るものではなく、例えばカメラ付きの携帯電話機やカメラ付きのＰＤＡ（Personal Digital Assistant）など、撮像機能を備えている電子機器であれば、そのすべてに適用可能である。
【００８８】
要するに、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８９】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【００９０】
【図１】本発明の第１の実施形態に係る撮像装置としてデジタルカメラを例にした場合の外観構成を示す図であり、図１（ａ）は主に前面の構成、同図（ｂ）は主に背面の構成を示す斜視図。
【図２】同実施形態におけるデジタルカメラの電子回路構成を示すブロック図。
【図３】同実施形態におけるデジタルカメラの画像パラメータの初期設定処理を示すフローチャート。
【図４】同実施形態におけるデジタルカメラのワールドタイムの設定時に表示されるタイムゾーン選択画面の一例を示す図。
【図５】同実施形態におけるデジタルカメラのワールドタイムの設定時に表示される地域選択画面の一例を示す図。
【図６】本発明の第２の実施形態におけるデジタルカメラの画像パラメータの初期設定処理を示すフローチャート。
【図７】同実施形態におけるデジタルカメラのワールドタイムの設定時に表示される言語選択画面の一例を示す図。
【図８】本発明の第３の実施形態におけるデジタルカメラの画像パラメータの初期設定処理を示すフローチャート。
【符号の説明】
【００９１】
１…デジタルカメラ、２…ボディ、３…撮影レンズ、４…セルフタイマランプ、５…光学ファインダ窓、６…ストロボ発光部、７…マイクロホン部、８…電源キー、９…シャッタキー、１０…撮影モードキー、１１…再生モードキー、１２…光学ファインダ、１３…スピーカ部、１４…マクロキー、１５…ストロボキー、１６…メニュー（ＭＥＮＵ）キー、１７…リングキー、１８…セット（ＳＥＴ）キー、１９…表示部、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３２ａ…パラメータ記憶部、３２ｂ…地域記憶部、３２ｃ…言語記憶部、３３…ＶＲＡＭコントローラ、３４…ＶＲＡＭ、３５…デジタルビデオエンコーダ、３６…キー入力部、３７…ＪＰＥＧ回路、３８…メモリ、３９…音声処理部、４０…ＵＳＢインタフェース（Ｉ／Ｆ）、４１…ストロボ駆動部。
【図１】
2006180069.tif 000003
【図２】
2006180069.tif 000004
【図３】
2006180069.tif 000005
【図４】
2006180069.tif 000006
【図５】
2006180069.tif 000007
【図６】
2006180069.tif 000008
【図７】
2006180069.tif 000009
【図８】
2006180069.tif 000010